(57)【要約】【課題】ユーザがＷｅｂサイトにアクセスする操作することなく、ネットワーク上で公開されているコンテンツを閲覧することがきるコンテンツ表示システムを提供する。【解決手段】ネットワーク４０には、携帯電話１０と、コンテンツを公開しているＷｅｂサイト３０と、携帯電話１０の要求に従いＷｅｂサイト３０を巡回し、Ｗｅｂサイト３０で公開されているコンテンツを収集し、収集したコンテンツを携帯電話１０に送信する検索サーバ２０とから、コンテンツ表示システム１は少なくとも構成される。携帯電話のフレームアプリケーション１１は、携帯電話にインストールされているアプリケーションで指定されるＷｅｂサイトのＵＲＬ１０とポリシーファイル１３に記憶された検索キーワードを少なくとも検索時のパラメータとして検索サーバ２０に定期的に送信し、検索サーバ２０から受信したコンテンツを携帯電話１０の画面に表示する。【選択図】図１
2008102834.tif 000002
【特許請求の範囲】
【請求項１】
コンテンツを携帯情報端末に提供するコンテンツ表示システムであって、前記コンテンツ表示システムは、前記携帯情報端末に加え、ネットワーク上に配置されコンテンツを公開しているＷｅｂサイトと、前記携帯情報端末から送信されたパラメータに従い前記Ｗｅｂサイトを巡回し、前記Ｗｅｂサイトで公開されている前記コンテンツを収集し、収集した前記コンテンツを前記携帯情報端末に送信する検索サーバとから少なくとも構成され、前記携帯情報端末には、前記携帯情報端末に常駐して動作し、前記携帯情報端末にインストールされているアプリケーションで指定される前記ＷｅｂサイトのＵＲＬを少なくとも前記パラメータとして前記検索サーバに定期的に送信し、前記検索サーバから受信した前記コンテンツを前記携帯情報端末の画面に表示するコンテンツ表示手段を備えていることを特徴とするコンテンツ表示システム。
【請求項２】
請求項１に記載のコンテンツ表示システムであって、前記携帯情報端末は、前記コンテンツをフィルタリングするための検索キーワードを記憶し、前記コンテンツ表示手段は、前記パラメータに前記検索キーワードを含ませ、前記検索サーバは、前記コンテンツを収集するときに、前記携帯情報端末から送信された前記検索キーワードに従い前記コンテンツをフィルタリングすることを特徴とするコンテンツ表示システム。
【請求項３】
請求項１または請求項２に記載のコンテンツ表示システムであって、前記携帯情報端末に備えられたコンテンツ表示手段は、前記携帯情報端末にインストールされたアプリケーションを起動させるための手段を備えていることを特徴とするコンテンツ表示システム。
【請求項４】
携帯情報端末に常駐して動作し、前記携帯情報端末にインストールされているアプリケーションで指定され、コンテンツを公開しているＷｅｂサイトのＵＲＬを少なくともパラメータとして定期的に検索サーバに送信し、前記検索サーバから受信した前記コンテンツを前記携帯情報端末の画面に表示するコンテンツ表示手段として、前記携帯情報端末のＣＰＵを機能させるためのコンピュータプログラム。
【請求項５】
請求項４に記載のコンピュータプログラムであって、前記携帯情報端末に記憶された検索キーワードを前記パラメータに含ませる前記コンテンツ表示手段として、前記携帯情報端末のＣＰＵを機能させるためのコンピュータプログラム。
【請求項６】
請求項４または請求項５に記載のコンピュータプログラムであって、前記携帯情報端末にインストールされたアプリケーションを起動させるための手段を備えた前記コンテンツ表示手段として、前記携帯情報端末のＣＰＵを機能させるためのコンピュータプログラム。
【発明の詳細な説明】
【技術分野】
【０００１】
本発明は、携帯電話に代表される携帯情報端末に、ネットワーク上で公開されているコンテンツを表示させるためのシステム、及び、携帯情報端末にインストールされるコンピュータプログラムに関する。
【背景技術】
【０００２】
多機能化が進んだ携帯電話は携帯情報端末として利用され、携帯電話を所持するユーザに情報を提供するシステムが開発されている。
【０００３】
例えば、特許文献１では、携帯電話を用いてネットワーク上で公開されているコンテンツを閲覧し、閲覧しているコンテンツに含まれるバナー広告をユーザがクリックされると、クリックしたバナー広告に対応した広告情報をメールで携帯電話に提供するシステムが開示されている。
【特許文献１】特開２００５−１８２８４０号公報
【発明の開示】
【発明が解決しようとする課題】
【０００４】
しかしながら、従来の技術では、ネットワーク上で公開されている最新のコンテンツを閲覧しようとするとき、その都度、ブックマークなどを利用してコンテンツを配信しているＷｅｂサイトにアクセスする操作をしなければならず、ユーザは大変面倒であった。
【０００５】
そこで、本発明は、ユーザがＷｅｂサイトにアクセスする操作することなく、ネットワーク上で公開されているコンテンツを閲覧することがきるコンテンツ表示システム等を提供することを目的とする。
【課題を解決するための手段】
【０００６】
上述した課題を解決する第１の発明は、コンテンツを携帯情報端末に提供するコンテンツ表示システムであって、前記コンテンツ表示システムは、前記携帯情報端末に加え、ネットワーク上に配置されコンテンツを公開しているＷｅｂサイトと、前記携帯情報端末から送信されたパラメータに従い前記Ｗｅｂサイトを巡回し、前記Ｗｅｂサイトで公開されている前記コンテンツを収集し、収集した前記コンテンツを前記携帯情報端末に送信する検索サーバとから少なくとも構成され、前記携帯情報端末には、前記携帯情報端末に常駐して動作し、前記携帯情報端末にインストールされているアプリケーションで指定される前記ＷｅｂサイトのＵＲＬを少なくとも前記パラメータとして前記検索サーバに定期的に送信し、前記検索サーバから受信した前記コンテンツを前記携帯情報端末の画面に表示するコンテンツ表示手段を備えていることを特徴とする。
【０００７】
第１の発明によれば、前記携帯情報端末が前記コンテンツ表示手段を備えることで、前記携帯情報端末の画面には、前記検索サーバが検索した前記コンテンツが自動的に表示されるため、ユーザは前記コンテンツを取得するために、前記Ｗｅｂサイトにアクセスする操作をする必要はなくなる。
【０００８】
更に、前記携帯情報端末の画面に表示される前記コンテンツは定期的に変更されるため、ユーザは最新の前記コンテンツを閲覧することができるようになる。また、前記検索サーバを備えることで、前記コンテンツの検索に伴う前記携帯情報端末の負荷を減らすことができる。
【０００９】
なお、本発明おいて、前記携帯情報端末とは、ユーザが携帯可能な情報端末を意味し、詳しくは、携帯電話やＰＤＡ（Personal Digital Assistants）などの情報端末を意味する。更に、前記コンテンツとは、前記Ｗｅｂサイトで公開されているテキスト情報で、テキスト情報は、前記コンテンツに記述された情報であってもよく、また、前記コンテンツのメタデータであってもよい。
【００１０】
更に、第２の発明は、第１の発明に記載のコンテンツ表示システムであって、前記携帯情報端末は、前記コンテンツをフィルタリングするための検索キーワードを記憶し、前記コンテンツ表示手段は、前記パラメータに前記検索キーワードを含ませ、前記検索サーバは、前記コンテンツを収集するときに、前記携帯情報端末から送信された前記検索キーワードに従い前記コンテンツをフィルタリングすることを特徴とする。
【００１１】
第２の発明によれば、前記携帯情報端末に記憶された前記検索キーワードに基づいて、前記検索サーバがフィルタリングすることで、ユーザは自分の趣味趣向に適合した前記コンテンツのみが前記携帯情報端末の画面に表示されるようになる。
【００１２】
更に、第３の発明は、第１の発明または第２の発明に記載のコンテンツ表示システムであって、前記携帯情報端末に備えられたコンテンツ表示手段は、前記携帯情報端末にインストールされたアプリケーションを起動させるための手段を備えていることを特徴とする。
【００１３】
第３の発明によれば、前記携帯情報端末のコンテンツ表示手段が、前記携帯情報端末にインストールされたアプリケーションを起動させるための手段を備えることで、ユーザは、前記携帯情報端末にインストールされたアプリケーション取りまとめるて利用することができるようになる。
【００１４】
更に、第４の発明は、携帯情報端末に常駐して動作し、前記携帯情報端末にインストールされているアプリケーションで指定され、コンテンツを公開しているＷｅｂサイトのＵＲＬを少なくともパラメータとして定期的に検索サーバに送信し、前記検索サーバから受信した前記コンテンツを前記携帯情報端末の画面に表示するコンテンツ表示手段として、前記携帯情報端末のＣＰＵを機能させるためのコンピュータプログラムである。
【００１５】
更に、第５の発明は、第４の発明に記載のコンピュータプログラムであって、前記コンテンツ表示手段は、前記携帯情報端末に記憶された検索キーワードを前記パラメータに含ませる前記コンテンツ表示手段として、前記携帯情報端末のＣＰＵを機能させるためのコンピュータプログラムである。
【００１６】
更に、第６の発明は、第４の発明または第５の発明に記載のコンピュータプログラムであって、前記携帯情報端末にインストールされたアプリケーションを起動させるための手段を備えた前記コンテンツ表示手段として、前記携帯情報端末のＣＰＵを機能させるためのコンピュータプログラムである。
【発明の効果】
【００１７】
上述した本発明によれば、ユーザがＷｅｂサイトにアクセスする操作することなく、ネットワーク上で公開されているコンテンツを閲覧することがきる情報提供システム等を提供できる。
【発明を実施するための最良の形態】
【００１８】
ここから、本発明に係る携帯電話を用いたコンテンツ表示システム１について説明する。図１は、携帯情報端末として携帯電話を利用したコンテンツ表示システム１を説明する図である。
【００１９】
図１に示したように、コンテンツ表示システム１においては、ユーザが所持する携帯電話１０と、コンテンツを提供している複数のＷｅｂサイト３０（ここでは、３台）と、携帯電話１０で指定されたＷｅｂサイト３０を巡回し、ユーザの要求に適合したコンテンツを検索する検索サーバ２０とが、無線通信回網やインターネットなど複数の異なる通信回線網で構成されるネットワーク４０に接続されている。
【００２０】
Ｗｅｂサイト３０は、ユーザが頻繁に利用するＷｅｂサイト３０で、図１において、Ｗｅｂサイト３０は、ユーザが所持するカードのカード会社が運営しているＷｅｂサーバ３０、ユーザが利用するレンタルＣＤショップが運営しているＷｅｂサーバ３０、或いは、ユーザが頻繁に利用するコンビニエンスストアが運営しているＷｅｂサーバ３０としている。
【００２１】
このＷｅｂサイト３０ではコンテンツが公開されると共に、更新されたコンテンツのメタデータである更新情報（例えば、ＲＳＳ）が提供され、この更新情報には、対応するコンテンツのタイトル、対応するコンテンツが公開されているＵＲＬ、対応するコンテンツの要約、対応するコンテンツの公開日などが含まれる。
【００２２】
図１に図示したように、携帯電話１０には、携帯電話１０の待ち受け画面として常駐するコンピュータプログラムで、Ｊａｖａ（登録商標）などのコンピュータ言語で開発されたフレームアプリケーション１１がインストールされ、更に、携帯電話１０上で動作する様々なアプリケーション１２がインストールさている。
【００２３】
ここでは、携帯電話１０上で動作するアプリケーション１２として、カード会社のサービスを受けるときに必要となるアプリケーション１２と、レンタルショップのサービスを受けるときに必要となるアプリケーション１２と、コンビニエンスストア（以下、コンビニと略す）のサービスを受けるときに必要となるアプリケーション１２と、ゲームを遊戯するためのアプリケーション１２と、時刻表などのサービスを受けるためのアプリケーション１２が、携帯電話１０にインストールされている。
【００２４】
携帯電話１０のフレームアプリケーション１１と連携して動作するアプリケーション１２は、フレームアプリケーション１１から呼出されるモジュールであるエージェント１４を備えている。
【００２５】
エージェント１４は、アプリケーション１２を提供しているＷｅｂサイト３０に関する内容が記述されたサイト情報を有し、このサイト情報には、Ｗｅｂサイトで提供されている更新情報を取得できるＵＲＬや、更新情報の更新頻度が含まれる。
【００２６】
エージェント１４は、フレームアプリケーション１１の要求に対して、エージェント１４が保持しているサイト情報をフレームアプリケーション１１に返信する。
【００２７】
例えば、カード会社のアプリケーション１２のエージェント１４が有するサイト情報には、カード会社のＷｅｂサイトが公開しているコンテンツの更新情報を公開しているＵＲＬが記憶され、更に、更新情報の更新頻度（数時間おき、１日おきとか）に関する情報が含まれる。
【００２８】
携帯電話１０のフレームアプリケーション１１は、携帯電話１０にインストールされたアプリケーション１２のエージェント１４と連携して動作し、一定時間が経過するごとに、検索サーバ２０を利用して更新情報を収集し、収集した更新情報を携帯電話１０の画面に表示する。
【００２９】
図２は、フレームアプリケーション１１が更新情報を表示する手順を示したフロー図である。フレームアプリケーション１１が更新情報を表示するとき、まず、フレームアプリケーション１１は、エージェント１４にサイト情報の送信を要求するメッセージを送信する（ステップＳ１）。
【００３０】
このステップでは、フレームアプリケーション１１がメッセージを送信するエージェント１４は一つとは限らず、フレームアプリケーション１１は、すべてのエージェント１４に対してメッセージを送信する。
【００３１】
それぞれのエージェント１４は、フレームアプリケーション１１から上述したメッセージを受信すると、それぞれのエージェント１４はサイト情報をフレームアプリケーション１１に返信する（ステップＳ２）。
【００３２】
フレームアプリケーション１１はエージェント１４からサイト情報を受信すると、更新情報をフィルタリングするときの検索キーワードを取得する（ステップＳ３）。
【００３３】
携帯電話１０は、更新情報をフィルタリングするときの検索キーワードを記憶するためのポリシーファイル１３を有し、このポリシーファイル１３に、携帯電話１０を所持するユーザの趣味趣向に関する検索キーワードが格納される。フレームアプリケーション１１は、ポリシーファイル１３の内容を読取ることで、検索キーワードを取得する。
【００３４】
フレームアプリケーション１１は、サイト情報と検索キーワードを取得すると、検索サーバ２０に送信する検索パラメータを生成し、生成した検索パラメータを検索サーバ２０に送信する。（ステップＳ４）。
【００３５】
検索サーバ２０に送信される検索パラメータには、エージェント１４から取得したサイト情報に含まれ、更新情報が公開されているＵＲＬと、ポリシーファイル１３を読取ることで得られ、更新情報をフィルタリングするための検索キーワードが含まれる。
【００３６】
なお、フレームアプリケーション１１は、アプリケーション１２のエージェント１４から取得したサイト情報に含まれる更新頻度を参照し、検索パラメータを検索サーバ２０へ送信するときにコンテンツが更新されていないと判断できるときは、同じサイト情報に含まれるＵＲＬを検索パラメータには含ませない。
【００３７】
検索サーバ２０は、フレームアプリケーション１１から検索パラメータを受信すると、検索パラメータに含まれるすべてのＵＲＬを巡回し、それぞれのＵＲＬで提供されている更新情報を取得し、タイトルや要約などに検索パラメータを含む更新情報のみを、ステップＳ４で検索パラメータを送信した携帯電話１０に送信する（ステップＳ５）。
【００３８】
携帯電話１０のフレームアプリケーション１１は、検索サーバ２０から更新情報を受信すると、受信した更新情報のタイトルや日付などを、更新情報に対応するコンテンツが公開されているＵＲＬにリンクさせて一覧表示する（ステップＳ６）。
【００３９】
このステップをもって、フレームアプリケーション１１が更新情報を表示する手順を示したフローは終了する。
【００４０】
図３は、フレームアプリケーション１１によって携帯電話１０の画面に表示される待受け画面の一例である。フレームアプリケーション１１は、図２の最新情報を表示するエリア５０に、図２で示したフローによって得られる更新情報は表示される。
【００４１】
また、フレームアプリケーション１１は、図３で示した携帯電話１０の待受け画面に、更新情報に加えて、携帯電話１０にインストールされたアプリケーション１２を起動するためのアイコン５１を表示する。
【００４２】
このアイコンは携帯電話１０にインストールされたアプリケーション１２とリンクしており、携帯電話１０をユーザが操作し、このアイコン５１をクリックすることで対応するアプリケーション１２が起動する。
【００４３】
なお、アイコン５１に対応するアプリケーション１２は、エージェント１４を有さないアプリケーション１２を含ませてもよく、好ましくは、フレームアプリケーション１２は、携帯電話１０にインストールされたアプリケーション１２の中から、アイコン５１を表示するアプリケーション１２を選択する機能など、待受け画面を設定する機能を備えていることが好ましい。
【図面の簡単な説明】
【００４４】
【図１】携帯電話を利用したコンテンツ表示システムを説明する図。
【図２】フレームアプリケーションが更新情報を表示する手順を示したフロー図。
【図３】携帯電話の画面に表示される待受け画面の一例を示した図。
【符号の説明】
【００４５】
１  コンテンツ表示システム
１０  携帯電話
１１  フレームアプリケーション
１２  アプリケーション
１３  ポリシーファイル
１４  エージェント
２０  検索サーバ
３０  Ｗｅｂサイト
４０  ネットワーク
【図１】
2008102834.tif 000003
【図２】
2008102834.tif 000004
【図３】
2008102834.tif 000005